(57)【特許請求の範囲】
【請求項１】
平行する４本の支持パイプの相互間を補強部材により固定されて一体化したユニット部材であり、該支持パイプのそれぞれの一方の端部にメス型連結部が、他方の端部にオス型連結部が設けられており、メス型連結部とオス型連結部は相互に嵌合することが可能な形状に形成されており、メス型連結部及びオス型連結部の嵌合状態を固定するためにメス型連結部及びオス型連結部の嵌合部中央には、パイフの軸と直交する方向に固定ピンを挿通する係止穴が貫通しているトラスと、該トラスの支持パイプ間の距離に調整された長さを有する胴体部の一端にトラスの支持パイプのオス型連結部に嵌合するメス型連結部を多端にトラスの支持パイプの支持パイプのメス型連結部に嵌合するオス型連結部を一体に形成し、オス型連結部及びメス型連結部の嵌合部中央には、胴体部の軸と直交する方向に固定ピンを挿通する係止穴が貫通している補助支持柱と、一端に連結部の係止穴に挿入する固定軸部を多端にトラスの支持パイプのメス型連結部又はオス型連結部に嵌合するオス型連結部又はメス型連結部を形成し、オス型連結部又はメス型連結の嵌合部中央には、固定軸部の軸と直交する方向に固定ピンを挿通する係止穴が貫通しているトラス連結具と、固定ピンとからなるトラス構造において、
鉛直方向に設けた下のトラスの各支持パイプのメス型連結部又はオス型連結部と上のトラスの各支持パイプのオス型連結部又はメス型連結部との間に、補助支柱を連結部が嵌合可能な状態に介在させ、トラス連結具のメス型又はオス型連結部を、水平方向に設けたトラスの各支持パイプのオス型連結部又はメス型連結部に連結し、トラス連結具の固定軸部を、上下の各トラスの支持パイプの連結部と補助支柱の連結部とが嵌合している各係止穴に挿通して抜け止めし、各連結部をトラス連結具の固定軸部又は固定ピンで固定したことを特徴とするトラス構造。
【請求項２】
平行する４本の支持パイプの相互間を補強部材により固定されて一体化したユニット部材であり、該支持パイプのそれぞれの一方の端部にメス型連結部が、他方の端部にオス型連結部が設けられており、メス型連結部とオス型連結部は相互に嵌合することが可能な形状に形成されており、メス型連結部及びオス型連結部の嵌合状態を固定するためにメス型連結部及びオス型連結部の嵌合部中央には、パイフの軸と直交する方向に固定ピンを挿通する係止穴が貫通しているトラスと、トラス構造の傾斜角度に対応する長さに調整された胴体部の一端にトラスのオス型連結部を多端にトラスのメス型連結部に嵌合するオス型連結部を一体に形成し、オス型連結部及びメス型連結部の嵌合部中央には、胴体部の軸と直交する方向に固定ピンを挿通する係止穴が貫通している傾斜用補助支持柱と、板の片面に、２個を１組として対向する２組のトラスの支持パイプに対応して、トラスの支持パイプのメス型連結部又はオス型連結部に嵌合する２組のオス型連結部又はメス型連結部が取り付けられ、オス型連結部又はメス型連結部の連結部中央には、軸と直交する方向に固定ピンを挿通する係止穴が貫通している基板と、固定ピンとからなるトラス構造において、
基板の一方の組のオス型連結部又はメス型連結部とトラス支持パイプの一方の組のメス型連結部又はオス型連結部との間に傾斜用補助柱の各連結部を嵌合可能な状態に介在させて嵌合し、基盤の他方の組のオス型連結部又はメス型連結部とトラスの支持パイプの他方の組のメス型連結部又はオス型連結部とを嵌合可能な状態に嵌合し、各連結部を固定ピンで固定したことを特徴とするトラス構造。
【発明の詳細な説明】
【０００１】
【発明の属する技術分野】
本発明は、照明設備や舞台セット等の舞台装置を吊設するための舞台・イベント用タワー等を構築するトラス構造に関する。
【０００２】
【従来の技術】
大勢の観客が集まるロックコンサート、大集会などを屋外の広場等を利用して開催する際に、トラスを連結したトラス構造で舞台・イベント用タワーを仮設することが行われている。このトラス構造で形成される上記タワーには、舞台上に各種の光を照射する照明設備、音響装置、通信装置、その他の舞台セットを配置している。
【０００３】
この舞台・イベント用タワーは、事前にリハーサル等の練習時間を確保するために短時間で、かつ上記の各種機器を保持できる強固さと、安全性を備えた構築としなければならない。また、公演が終了した後は、上記タワーを速やかに分解して撤去しなけばならないものである。
【０００４】
従来の舞台・イベント用タワーは、例えば図８に示すように、複数のトラス１，１…の連結部を相互に結合してトラス構造を形成する。このトラス構造のトラス１は、図９に示すように、平行する４本の支持パイプ１３，１３…の相互間を、この支持パイプ１３よりやや細い棒状で横方向に支持する補強部材３１と、同様に傾斜方向に支持する補強部材３２により固定されて一体化したユニット部材である。このトラス１，１…には、支持パイプ１３のそれぞれの一方の端部にメス型連結部２，２，２，２が、他方の端部にオス型連結部３，３，３，３が設けられている。このメス型連結部２，２，２，２とオス型連結部３，３，３，３は相互に嵌合することが可能な形状に形成されている。このオス型連結部３，３，３，３及びメス型連結部２，２，２，２の嵌合状態を固定するためにオス型連結部３，３，３，３及びメス型連結部２，２，２，２の中央には、頭付きの固定ピン５を挿通する係止穴４が貫通している。
【０００５】
これらのトラス相互間の連結部は、図１０に示すように、一方のトラス１の支持パイプ１３ａの端部に設けられたメス型連結部２と、他方のトラス１の支持パイプ１３ｂの端部に設けられたオス型連結部３とを支持パイプ１３ａ、１３ｂの軸方向に嵌合して、これらの一側から各係止穴４に頭付きの固定ピン５を差し込み、反対側（他側）に突き出したその固定ピン５先端の穴６に、安全ピン７を差し込んで抜け止めをする構成になっている。
【０００６】
【発明が解決しようとする課題】
しかしながら、前記従来のトラス構造は、各トラス１，１を交差する方向に連結するには、図１１〜図１３に示すような連結ブロック８，９，１０を連結部に使用しなければ対応ができなかった。２方向に連結する場合は、すなわちトラス１とトラス１を直角に交差させるには、図１１に示すように、図９において用いられたようなメス型連結部２及びオス型連結部３を有する連結ブロック８を使用していた。また、３方向に連結する場合は、図１２に示すような３方向に、図９において用いられたようなメス型連結部２及びオス型連結部３を有する連結ブロック９を使用していた。また、４方向に連結する場合には、図１３に示すような４方向に、図９において用いられたようなメス型連結部２及びオス型連結部３を有する連結ブロック１０を使用していた。
【０００７】
これらの連結ブロック８，９，１０は、全体としてトラス１の端部に適合するような形態に形成されているので、大型の部品であり、持ち運びと共に組み立て作業には手間と時間を必要とした。また、使用場所や用途に常に応じられるようにこれらの連結ブロック８，９，１０を準備しなければならなかった。
【０００８】
また、傾斜したトラス構造を形成する場合は、図１４及び図１５に示すような、角度調節部を備えた前記同様のメス型連結部２及びオス型連結部３を有する角度調整可能な連結ブロック１１又は１２等を用いて連結しなければならなかった。
【０００９】
これらの連結ブロック１１，１２は、上記同様に、トラスの端部２，３に適合するサイズに形成されているので、大型の部品であり、上記同様に持ち運びと組み立て作業には手間と時間を必要とした。また、使用場所や用途に常に応じられるように、これらの連結ブロック１１又は１２を準備しておかなければならなかった。
【００１０】
このように、従来のトラスの連結方法では、方向や角度を変える場合に特殊な連結ブロック８〜１２を使用しなければならなかった。
【００１１】
本発明は、前記従来の問題点に鑑みてなされたものであり、トラス相互間の連結部に特別な連結ブロックを用いずに、方向や角度を変えることができるトラス構造の提供を目的とする。
【００１２】
【課題を解決するための手段】
上記目的を達成するため、本発明に係る請求項１のトラス構造は、平行する４本の支持パイプの相互間を補強部材により固定されて一体化したユニット部材であり、支持パイプのそれぞれの一方の端部にメス型連結部が、他方の端部にオス型連結部が設けられており、メス型連結部とオス型連結部は相互に嵌合することが可能な形状に形成されており、メス型連結部及びオス型連結部の嵌合状態を固定するためにメス型連結部及びオス型連結部の嵌合部中央には、パイフの軸と直交する方向に固定ピンを挿通する係止穴が貫通しているトラスと、トラスの支持パイプ間の距離に調整された長さを有する胴体部の一端にトラスの支持パイプのオス型連結部に嵌合するメス型連結部を多端にトラスの支持パイプの支持パイプのメス型連結部に嵌合するオス型連結部を一体に形成し、オス型連結部及びメス型連結部の嵌合部中央には、胴体部の軸と直交する方向に固定ピンを挿通する係止穴が貫通している補助支持柱と、一端に連結部の係止穴に挿入する固定軸部を多端にトラスの支持パイプのメス型連結部又はオス型連結部に嵌合するオス型連結部又はメス型連結部を形成し、オス型連結部又はメス型連結の嵌合部中央には、固定軸部の軸と直交する方向に固定ピンを挿通する係止穴が貫通しているトラス連結具と、固定ピンとからなるトラス構造において、
鉛直方向に設けた下のトラスの各支持パイプのメス型連結部又はオス型連結部と上のトラスの各支持パイプのオス型連結部又はメス型連結部との間に、補助支柱を連結部が嵌合可能な状態に介在させ、トラス連結具のメス型又はオス型連結部を、水平方向に設けたトラスの各支持パイプのオス型連結部又はメス型連結部に連結し、トラス連結具の固定軸部を、上下の各トラスの支持パイプの連結部と補助支柱の連結部とが嵌合している各係止穴に挿通して抜け止めし、各連結部をトラス連結具の固定軸部又は固定ピンで固定したことを特徴とする。
【００１３】
請求項１の発明によれば、トラスの支持パイプ端のオス型連結部と補助支持柱のメス型連結部を連結する固定軸部に、別のトラスのオス型連結部又はメス型連結部を連結しうるメス型連結部又はオス型連結部を一体形成することにより、前記固定軸部にて２本のトラスを補助支持柱を介して連結すると共に、前記固定軸部を介して別のトラスを連結することが可能になる。
【００１４】
これにより、トラスを交差して連結するのに、特別の連結ブロックを使用する必要がなくなる。
【００１５】
また、補助支持柱を装着することによって、交差させたトラスの支持パイプを強固に結合することができる。更に、補助支持柱を装着することによって、トラス構造としての見栄えが良くなる。
【００１７】
請求項２ののトラス構造は、平行する４本の支持パイプの相互間を補強部材により固定されて一体化したユニット部材であり、支持パイプのそれぞれの一方の端部にメス型連結部が、他方の端部にオス型連結部が設けられており、メス型連結部とオス型連結部は相互に嵌合することが可能な形状に形成されており、メス型連結部及びオス型連結部の嵌合状態を固定するためにメス型連結部及びオス型連結部の嵌合部中央には、パイフの軸と直交する方向に固定ピンを挿通する係止穴が貫通しているトラスと、トラス構造の傾斜角度に対応する長さに調整された胴体部の一端にトラスのオス型連結部を多端にトラスのメス型連結部に嵌合するオス型連結部を一体に形成し、オス型連結部及びメス型連結部の嵌合部中央には、胴体部の軸と直交する方向に固定ピンを挿通する係止穴が貫通している傾斜用補助支持柱と、板の片面に、２個を１組として対向する２組のトラスの支持パイプに対応して、トラスの支持パイプのメス型連結部又はオス型連結部に嵌合する２組のオス型連結部又はメス型連結部が取り付けられ、オス型連結部又はメス型連結部の連結部中央には、軸と直交する方向に固定ピンを挿通する係止穴が貫通している基板と、固定ピンとからなるトラス構造において、
基板の一方の組のオス型連結部又はメス型連結部とトラス支持パイプの一方の組のメス型連結部又はオス型連結部との間に傾斜用補助柱の各連結部を嵌合可能な状態に介在させて嵌合し、基盤の他方の組のオス型連結部又はメス型連結部とトラスの支持パイプの他方の組のメス型連結部又はオス型連結部とを嵌合可能な状態に嵌合し、各連結部を固定ピンで固定したことを特徴とする。
【００１８】
請求項２の発明によれば、トラス構造の傾斜方向と反対側のトラス及び基板間に、前記傾斜角度が得られる長さの胴体部を持つ傾斜用補助柱を使用して、トラス構造の傾斜角度を任意の大きさに設定することができる。
【００１９】
【発明の実施の形態】
以下、本発明の実施の形態を図面に基づいて説明する。図１から図７は本発明の実施の形態に係るトラス構造の構成図を示し、図２（ａ）はメス型スピゴットピンの正面図、同（ｂ）は平面図、同（ｃ）は左側面図、同（ｄ）は右側面図を示す。図３（ａ）はオス型スピゴットピンの正面図、同（ｂ）は平面図、同（ｃ）は左側面図、同（ｄ）は右側面図を示す。図４（ａ）は補助支持柱の正面図、同（ｂ）は平面図を示す。図５はトラスの連結構造の断面図を示す。図６は図５に示す連結構造の要部の断面図である。図７（ａ）は傾斜用補助柱の正面図、同（ｂ）は側面図を示す。
【００２０】
多数のトラス１を連結して構成する本発明に係る舞台・イベント用タワーの例は、図８について述べたように、この舞台・イベント用タワーは、例えばロックコンサート、大集会などを開催する際に屋外又は屋内などに仮設する。これに多様な光を舞台上に投射して舞台効果を高めるための多くの光源を備えた照明設備２２その他の舞台装置を天井から吊り下げるなどして舞台が構築される。
【００２１】
トラス端部を直角方向に連結する本発明のトラス連結具（以下、スピゴットピンという）には、図２に示すメス型スピゴットピン１４と、図３に示すオス型スピゴットピン１５とが用いられる。そして各スピゴットピン１４、１５は、トラス１の連結部相互間を連結するために各連結部２、３に形成された係止穴４に挿入する固定軸部１６を有し、固定軸部１６の一端には各係止穴４に対する挿入を容易にするテーパ部１７が形成されている。また、このテーパ部１７の基端部近傍に、固定軸部１６を係止穴４に挿通した後に、抜け止め用の安全ピンを挿入するためのピン穴１８が設けられている。
【００２２】
一方、スピゴットピン１４、１５の固定軸部１６における他端には、トラス端部のメス型連結部２又はオス型連結部３とそれぞれ連結しうるオス型連結部２０又はメス型連結部１９が一体形成され、各連結部１９及び２０それぞれの端部は円弧状２１に形成されている。
【００２３】
そしてメス型連結部１９は、図２に示すように、２股状に分かれた断面コ字形をなし、その２股部分にはこれらを貫通するように係止穴４が穿設されている。２股部分における係止穴４の挿入側には、図示しない固定ピンの頭部用座面２２が設けられている。
【００２４】
また、オス型連結部２０は、図３に示すように、前記メス型連結部１９の２股部分に嵌合しうる厚さを有する平板状に形成されている。そして平板状のオス型連結部２０にはこれを貫通するように係止穴４が設けられている。
【００２５】
さらに、図４は、トラス１の平行する支持パイプ１３間の距離に調整された長さを有し、胴体部２４と、該胴体部２４の両端に連続し、前記支持パイプ１３端のオス型連結部３とメス型連結部２にそれぞれ係合するメス型連結部１９及びオス型連結部２０を一体に形成した補助支持柱２３を示す。
【００２６】
補助支持柱２３は、図４に示すように、トラス１の平行する支持パイプ１３間の距離に調整された長さを有する胴体部２４と、該胴体部２４の両端に前記支持パイプ１３端のオス型連結部３及びメス型連結部２に嵌合するオス型連結部２０及びメス型連結部１９とを一体に形成したものであり、この補助支持柱２３は、必要に応じ複数のトラス１間に配置される。
【００２７】
この補助支持柱２３は、トラス１，１の支持パイプ間に装着することによって、交差させた他のトラスの支持パイプを強固に連接することができる。また、補助支持柱２３を装着することによって、トラス構造としての見栄えを良くすることができる。
【００２８】
次に、本発明の連結具であるスピゴットピン１４及び１５の使用例について説明する。
【００２９】
図５は上下方向に連続する２つ（一方及び他方）のトラスの各支持パイプ１３端のメス型連結部２及びオス型連結部３間に補助支持柱（図５では、上半部を省略してある）２３を介在させて、本発明のトラス連結具であるメス型スピゴットピン１４にて連結した例である。この場合は、メス型スピゴットピン１４の固定軸部１６を、一方のトラス１の支持パイプ１３ｂと、他方のトラス１の支持パイプ１３ａとを接続する補助支持柱２３とのそれぞれの連結部に設けられた係止穴4ａ，４ｂに挿入し、その挿入した固定軸部１６の軸端のピン穴１８に安全ピン７を差し込んで抜け止めをしている。一方、スピゴットピン１４のメス型連結部１９の２股部に対し、さらに別に用意されたトラス１の支持パイプ１３ｃのオス型連結部３ｃを挿入して、互いに連通する各係止穴４ｃ，４ｄに固定ピン５を挿入し、挿入した固定ピン５端のピン穴１８に安全ピン７を差し込んで抜け止めをしてある。なお、この場合、縦方向に連結する各トラス１は、縦（上下）方向に限らず直角その他の角度での連結としてもよい。また、水平方向に連結されるトラス１側のオス型連結部3ｃがメス型である場合には、メス型スピゴットピン１４に代えて、オス型のスピゴットピン１５を用いればよい。
【００３０】
図６は補助支持柱２３のメス型連結部１９とその下部の支持パイプ１３ｂのオス型連結部３ｂとに、固定軸部１６を差し込んだスピゴットピン１４のメス型連結部１９に対して、他のトラス１ｃの支持パイプ１３ｃが上下方向（矢印α方向）に傾くように連結した例である。この場合は、図５におけるスピゴットピン１４を、固定軸部１６を軸中心として９０°回動させて固定することにより、前記他のトラス１ｃの支持パイプ１３を頭付きの固定ピン５により、任意に選んだ傾斜角度で連結することができることを示すものである。また、スピゴットピン１４の連結部１９の端部が円弧状２１に形成されているのでトラス１ｃを各種角度に傾斜させて連結することが可能となる。
【００３１】
図７は、トラス構造を傾斜状態で設置する場合に用いる、トラス連結具としての傾斜用補助柱２６を示す。
【００３２】
この傾斜用補助柱２６は、基本的に図４に示した補助支持柱２３と略同等の構成を持ち、胴体部２５の両端にメス型連結部１９及びオス型連結部２０をそれぞれ一体に有する。
【００３３】
ここで、トラス構造の傾斜角度に応じて胴体部２５の長さＬが任意のものを選んで用いる。このため、傾斜角度を大きくする場合には、胴体部２５の長いものが使用される。この胴体部２５の径は、支持パイプ１３と同一とすることが望ましい。
【００３４】
次に、この傾斜用補助柱２６の使用例について、図１を参照して説明する。
【００３５】
トラス構造の傾斜角度に適合する数種類の傾斜用補助柱２６を用意し、その中から胴体部２５の所定長のものを選択する。ここでは、この傾斜用補助柱２６を２本用意し、これらをコンクリートなどで高剛性に施工された床上の基板２７と、１つのトラス1の支柱パイプ１３との間に介在する。基板２７には２個を１組として対向する２組のメス型連結部２７ａ、２７ｂが取り付けられている。前記２本の傾斜用補助柱２６は、トラス１を構成する４本の支持パイプ１３のうち２本の支持パイプ１３端のオス型連結部と、これに対向する基板２７上の２組のメス型連結部２７ａとの間に介在及び嵌合され、それぞれに形成された係止穴４に固定ピン５を通すことにより、相互に連結される。
なお、傾斜用補助柱２６が介在されない側の１組のメス型連結部２６ｂと残る２本の支持パイプ１３端のオス型連結部とは、それぞれの係止穴４に固定ピン５を通して直接連結される。これにより、基板２７、つまり床面に対してトラス１が傾き、従ってトラス構造に傾斜をつけることができる。
【００３６】
【発明の効果】
本発明によれば、２つのトラスの支持パイプ間に介在される補助支持柱と前記トラスとの各連結部を、トラス連結具にて連結することにより、このトラス連結具の固定軸部に一体の連結部を介して、さらに他のトラスの支持パイプを任意の方向に連結することが可能となる。
【００３７】
これにより、トラスを複数の方向に交差して連結するために従来から用いられた専用の連結ブロックが不要となる。
【００３８】
さらに、トラス構造の傾斜方向と反対側の一対のトラス連結端部間に、トラス構造の傾斜角度に胴体長が設定された傾斜補助柱を介在することで、トラス構造の傾斜を任意角度に設定することができる。
【図面の簡単な説明】
【図１】  本発明の実施の形態に係るトラス構造の構成図。
【図２】（ａ）はメス型スピゴットピンの正面図、（ｂ）は同平面図、（ｃ）は左側面図、（ｄ）は右側面図。
【図３】（ａ）はオス型スピゴットピンの正面図、（ｂ）は同平面図、（ｃ）は左側面図、（ｄ）は右側面図。
【図４】（ａ）は補助支持柱の正面図、（ｂ）は同平面図。
【図５】  トラスの連結構造を示す図。
【図６】  トラスの連結構造を示す図。
【図７】  （ａ）は傾斜用補助柱の正面図、（ｂ）は同平面図。
【図８】  一般的なトラス構造の全体の構成図。
【図９】  トラスの連結構造の斜視図。
【図１０】  従来のトラス連結構造の説明図。
【図１１】  従来の２方向連結ブロックを示す図。
【図１２】  従来の３方向連結ブロックを示す図。
【図１３】  従来の４方向連結ブロックを示す図。
【図１４】  従来の角度調整連結ブロックを示す図。
【図１５】  従来の角度調整連結ブロックを示す図。
【図１】
0003968223.tif 000002
【図２】
0003968223.tif 000003
【図３】
0003968223.tif 000004
【図４】
0003968223.tif 000005
【図５】
0003968223.tif 000006
【図６】
0003968223.tif 000007
【図７】
0003968223.tif 000008
【図８】
0003968223.tif 000009
【図９】
0003968223.tif 000010
【図１０】
0003968223.tif 000011
【図１１】
0003968223.tif 000012
【図１２】
0003968223.tif 000013
【図１３】
0003968223.tif 000014
【図１４】
0003968223.tif 000015
【図１５】
0003968223.tif 000016